(57)【要約】【目的】清掃部材の着脱がワンタッチ操作で行え、掃除中に柄を斜めにして押しても清掃部材が外れるのを防止できる清掃部材保持具を提供する。【構成】柄１０がジョイント９を介して回動可能に連結された保持具本体２に清掃部材保持用保持片３、４を備え、開脚した保持片３、４を清掃部材７のポケット部８に差し込んだ状態での柄１０の浅い押込操作で保持具本体２に保持片３、４を水平向きにロックさせる係止手段３０を設け、柄１０の更に深い押し込みでロック状態を解除させて保持片３、４を開脚させる係止解除手段３１を設け、前記ジョイント９を含む柄１０側と前記保持具本体２側との間に、柄１０を垂直方向から押し込んだときに限って前記押込操作を許容する押込方向規制手段５０を配備する。【選択図】  図２１
2006271753.tif 000002
【特許請求の範囲】
【請求項１】
柄の下端側がジョイントを介して垂直面内に沿って回動変移可能に連結された保持具本体に、清掃部材上面のポケット部に着脱可能に差し込んで清掃部材を保持する保持片を備えた清掃部材保持具において、前記保持片が垂下状態から前記清掃部材上面のポケット部に差し込まれた際に、前記柄を浅く押し込むことにより前記保持具本体に前記保持片が水平向きにロックされる係止手段が設けられ、前記柄を更に深く押し込むことにより前記ロック状態が解除されて前記保持片を垂下可能にする係止解除手段が設けられており、さらに、前記ジョイントを含む柄側と前記保持具本体側との間に、柄を垂直方向又は略垂直方向から押し込んだときに限って前記押込操作を許容する押込方向規制手段を配備したことを特徴とする清掃部材保持具。
【請求項２】
前記ジョイントは、前記柄の下端部が回動可能に連結される上部軸受部と、前記柄の押込力を前記係止手段および係止解除手段に伝達する押圧部材に回動可能に連結される下部軸受部とがそれぞれ一体形成され、前記保持具本体上面には、前記ジョイントにおける下部軸受部の軸方向で前記押圧部材を挟んで対向する一対の凸状部が一体形成されており、前記ジョイントにおける下部軸受部の軸方向の両側と前記一対の凸状部における互いの対向面側とのいずれか一方に突起を一体形成し、他方に該突起に嵌合可能な縦溝状部を形成し、前記押込方向規制手段が前記突起と縦溝状部とで構成されている請求項１に記載の清掃部材保持具。
【請求項３】
前記ジョイントにおける下部軸受部の軸方向の両側に前記突起が一体形成され、前記凸状部における互いの対向面に該突起に嵌合可能な縦溝状部が形成される請求項２に記載の清掃部材保持具。
【請求項４】
前記ジョイントにおける下部軸受部が軸方向へ相互に離間した一対の軸受部材から構成され、前記軸受部材に軸孔を形成し、前記押圧部材に凸状軸部を両端に有する押圧突出部を形成し、前記一対の軸受部材間に前記押圧突出部の両側面を圧接状態で挟入して前記軸受部材の軸孔に前記凸状軸部を嵌合させ、前記押圧突出部から圧接摩擦を受けながら前記ジョイントが回動する請求項３に記載の清掃部材保持具。
【請求項５】
前記係止解除手段は、ロック解除状態保持手段を備え、このロック解除状態保持手段は、前記保持片が清掃部材のポケット部に差し込まれた水平状態を保持し、前記柄を持ち上げたときに、この保持片を垂下状態にする請求項１乃至４に記載の清掃部材保持具。
【請求項６】
前記係止手段は、前記保持片に内向き側に突出して設けられた左右一対の保持側係止片と、前記保持具本体内に内外移動可能に配設され外向きに突出された係止爪を有する左右一対の係止部材とを有し、前記柄を浅く押し込んだときに前記保持側係止片が上動して前記係止部材が内向きに移動した後、前記係止部材が外向きに移動して前記係止爪が前記保持側係止片の下側に入りこんで係合し、前記保持片を水平向きにロックする請求項１乃至５に記載の清掃部材保持具。
【請求項７】
前記係止部材の係止爪には、上側外向きに傾斜するテーパー面が形成され、前記保持側係止片には、下側外向きに傾斜するテーパー面が形成されており、前記保持側係止片の上動によって、前記保持側係止片のテーパー面が前記係止爪のテーパー面に沿って上側に移動し、互いのテーパー面の頂点を過ぎた位置で前記係止爪の上面が前記保持側係止片の下面に入り込んで前記保持側係止片と前記係止爪が係合する請求項６に記載の清掃部材保持具。
【請求項８】
前記左右一対の係止部材には、両側端から外側に弾性部が延設され、これら弾性部で前記左右一対の係止部材が弾発状態で内外移動可能に構成されている請求項６又は７に記載の清掃部材保持具。
【請求項９】
前記係止解除手段は、前記保持具本体内に配設されて前記柄を深く押し込んだ際に下向きに移動する押圧部材と前記係止部材から構成され、前記押圧部材の下端及び／又は前記係止部材の上端にテーパー面が形成され、前記押圧部材が深く押し込まれたときに前記係止部材が内向きに移動してこの係止部材の係止爪と前記保持側係止片との係合状態が解除される請求項６、７又は８に記載の清掃部材保持具。
【請求項１０】
前記ロック解除状態保持手段は、前記保持片に内向きに突設された左右一対の突片の先端係合面と、前記係止部材の下面先端に設けられた係合用突起から構成され、前記係止状態が解除された後、柄を更に押し込むことにより前記係合用突起が前記先端係合面に係合して一時的にロック解除状態を保持する請求項５に記載の清掃部材保持具。
【請求項１１】
前記左右一対の係止部材の内側上面にバネ受け部材が載置され、前記押圧部材とこのバネ受け部材との間に、押圧部材を上向きに付勢するスプリングが配設されている請求項９に記載の清掃部材保持具。
【請求項１２】
前記保持片は左右一対設けられてＸ字状に交叉されており、その交叉部がスライド可能に連結され、前記清掃部材上面にはポケット部が形成されていて、前記左右一対の保持片が水平向きになったときに、これら保持片が前記ポケット部に挿入されて前記清掃部材が前記左右一対の保持片に取り付けられるようにした請求項１乃至１１のいずれかに記載の清掃部材保持具。
【請求項１３】
前記一対の保持片における外側の保持片には、その保持具本体側両端部に、保持具本体に穿設された枢支孔に入り込む外向き枢支軸部が設けられると共に、長手方向略中央に内向き突部が設けられており、内側の保持片の保持具本体側両端部に、前記保持具本体に突設された支持片に穿設された枢支孔に入り込む内向き枢支軸部が設けられ、前記内側の保持片に長手方向略中央部から保持具本体側に向けて形成され前記外側の保持片の内向き突部がスライド可能に入り込む長溝が設けられている請求項１２に記載の清掃部材保持具。
【発明の詳細な説明】
【技術分野】
【０００１】
この発明は、柄を有する保持具本体に、清掃部材上面のポケット部に着脱可能に差し込んで清掃部材を保持する保持片を備えた清掃部材保持具に関するものである。
【背景技術】
【０００２】
従来、この種の清掃部材保持具の一例として、本出願人が先に出願したモップ保持具がある。図２４〜図２６は、特開平１１−８９７７９号（特許文献１）に開示された上記モップ保持具の構成図である。このモップ保持具は、図２４〜図２６に示すように、一対の支持片１１０、１１１を、Ｘ字形に交叉させてその交叉部をヒンジ部１１４により回動自在に連結している。保持具本体１０１の下面に、一方の支持片１１１の上端部は定軸芯回りに下方回動自在に支持され、他方の支持片１１０の上端部は保持具本体１０１の長手方向にスライド自在に支持されている。他方の支持片１１１の自由端部と保持具本体１０１との間には、自由端部を保持具本体１０１側へと押し付けることにより、湾曲ばね１２０の弾性に抗して係合し支持片１１０、１１１を水平状態にロックするロック機構１１７を備えている。また、このロック機構１１７は、本体上面に露出する押込可能な解除ボタン１２２を備えている。
【０００３】
前記ロック機構１１７は、保持具本体１０１に形成された上面開口状の円筒形の取付台１１８と、左右一対の湾曲ばね１２０を一体に有する前後一対のロック爪１２１を備えている。更に、取付台１１８内に上下方向移動可能に嵌合すると共に上面が保持具本体１０１の上面に露出するロック解除ボタン１２２が備えられている。また、他方の支持片１１１には、ロック機構１１７のロック爪１２１が係合可能な係合突起１２３が前後一対形成されている（例えば、特許文献１参照）。
【０００４】
このモップ保持具は、モップＭを交換する場合、解除ボタン１２２の傾斜面１４５と連結部１３５の傾斜面１４３とのカム作用により、両ロック爪１２１を前後幅中心側へと押し縮め、ロックを解除する。これにより両支持片１１０、１１１を下降させてＸ形に開き、モップＭが両支持片１１０、１１１から抜け落ちるようになっている。この従来技術のモップ保持具では、モップＭに手を触れることなく、解除ボタン１２２を押すだけでモップＭを保持具本体１０１から外すことができるので、作業員があまり手を汚すことがない。
【特許文献１】特開平１１−８９７７７号公報
【発明の開示】
【発明が解決しようとする課題】
【０００５】
しかしながら、上記した従来のモップ保持具では、モップＭで清掃するときに、保持具本体１０１が汚れる場合があり、この保持具本体１０１に設けられた解除ボタン１２２も汚れてしまう。この汚れた解除ボタン１２２を手で押してロック状態を解除して、保持具本体１０１からモップＭを外すときに手が汚れてしまうことがあった。更に、解除ボタン１２２を手で押すときに、手を保持具本体１０１の解除ボタン１２２までのばして押さなくてはならないため、この作業が面倒であった。
【０００６】
また、従来の他の清掃用具は、モップや払拭布などの清掃部材を手で掴んで保持具本体から取り外す構造が殆どで、これらの清掃用具においては、清掃した後の汚れた清掃部材で手がより一層汚れてしまうという問題があった。
【０００７】
この発明は、上記従来の実情に鑑みてなされたものであり、清掃部材の保持具本体への着脱がワンタッチ操作で行え、とくに、実際の掃除中に柄を斜めにして押し込んだ際に清掃部材が外れるのを確実に防止できる清掃部材保持具を提供することを課題としている。
【課題を解決するための手段】
【０００８】
本発明は、上記課題を解決するために提案されたものであって、本発明の第１の形態は、柄の下端側がジョイントを介して垂直面内に沿って回動変移可能に連結された保持具本体に、清掃部材上面のポケット部に着脱可能に差し込んで清掃部材を保持する保持片を備えた清掃部材保持具において、前記保持片が垂下状態から前記清掃部材上面のポケット部に差し込まれた際に、前記柄を浅く押し込むことにより前記保持具本体に前記保持片が水平向きにロックされる係止手段が設けられ、前記柄を更に深く押し込むことにより前記ロック状態が解除されて前記保持片を垂下可能にする係止解除手段が設けられており、さらに、前記ジョイントを含む柄側と前記保持具本体側との間に、柄を垂直方向又は略垂直方向から押し込んだときに限って前記押込操作を許容する押込方向規制手段を配備した清掃部材保持具である。
【０００９】
本発明の第２の形態は、前記ジョイントは、前記柄の下端部が回動可能に連結される上部軸受部と、前記柄の押込力を前記係止手段および係止解除手段に伝達する押圧部材に回動可能に連結される下部軸受部とがそれぞれ一体形成され、前記保持具本体上面には、前記ジョイントにおける下部軸受部の軸方向で前記押圧部材を挟んで対向する一対の凸状部が一体形成されており、前記ジョイントにおける下部軸受部の軸方向の両側と前記一対の凸状部における互いの対向面側とのいずれか一方に突起を一体形成し、他方に該突起に嵌合可能な縦溝状部を形成し、前記押込方向規制手段が前記突起と縦溝状部とで構成されている清掃部材保持具である。
【００１０】
本発明の第３の形態は、前記ジョイントにおける下部軸受部の軸方向の両側に前記突起が一体形成され、前記凸状部における互いの対向面に該突起に嵌合可能な縦溝状部が形成される清掃部材保持具である。
【００１１】
本発明の第４の形態は、前記ジョイントにおける下部軸受部が軸方向へ相互に離間した一対の軸受部材から構成され、前記軸受部材に軸孔を形成し、前記押圧部材に凸状軸部を両端に有する押圧突出部を形成し、前記一対の軸受部材間に前記押圧突出部の両側面を圧接状態で挟入して前記軸受部材の軸孔に前記凸状軸部を嵌合させ、前記押圧突出部から圧接摩擦を受けながら前記ジョイントが回動する清掃部材保持具である。
【００１２】
本発明の第５の形態は、前記係止解除手段は、ロック解除状態保持手段を備え、このロック解除状態保持手段は、前記保持片が清掃部材のポケット部に差し込まれた水平状態を保持し、前記柄を持ち上げたときに、この保持片を垂下状態にする清掃部材保持具である。
【００１３】
本発明の第６の形態は、前記係止手段は、前記保持片に内向き側に突出して設けられた左右一対の保持側係止片と、前記保持具本体内に内外移動可能に配設され外向きに突出された係止爪を有する左右一対の係止部材とを有し、前記柄を浅く押し込んだときに前記保持側係止片が上動して前記係止部材が内向きに移動した後、前記係止部材が外向きに移動して前記係止爪が前記保持側係止片の下側に入りこんで係合し、前記保持片を水平向きにロックする清掃部材保持具である。
【００１４】
本発明の第７の形態は、前記係止部材の係止爪には、上側外向きに傾斜するテーパー面が形成され、前記保持側係止片には、下側外向きに傾斜するテーパー面が形成されており、前記保持側係止片の上動によって、前記保持側係止片のテーパー面が前記係止爪のテーパー面に沿って上側に移動し、互いのテーパー面の頂点を過ぎた位置で前記係止爪の上面が前記保持側係止片の下面に入り込んで前記保持側係止片と前記係止爪が係合する清掃部材保持具である。
【００１５】
本発明の第８の形態は、前記左右一対の係止部材には、両側端から外側に弾性部が延設され、これら弾性部で前記左右一対の係止部材が弾発状態で内外移動可能に構成されている清掃部材保持具である。
【００１６】
本発明の第９の形態は、前記係止解除手段は、前記保持具本体内に配設されて前記柄を深く押し込んだ際に下向きに移動する押圧部材と前記係止部材から構成され、前記押圧部材の下端及び／又は前記係止部材の上端にテーパー面が形成され、前記押圧部材が深く押し込まれたときに前記係止部材が内向きに移動してこの係止部材の係止爪と前記保持側係止片との係合状態が解除される清掃部材保持具である。
【００１７】
本発明の第１０の形態は、前記ロック解除状態保持手段は、前記保持片に内向きに突設された左右一対の突片の先端係合面と、前記係止部材の下面先端に設けられた係合用突起から構成され、前記係止状態が解除された後、柄を更に押し込むことにより前記係合用突起が前記先端係合面に係合して一時的にロック解除状態を保持する清掃部材保持具である。
【００１８】
本発明の第１１の形態は、前記左右一対の係止部材の内側上面にバネ受け部材が載置され、前記押圧部材とこのバネ受け部材との間に、押圧部材を上向きに付勢するスプリングが配設されている清掃部材保持具である。
【００１９】
本発明の第１２の形態は、前記保持片は左右一対設けられてＸ字状に交叉されており、その交叉部がスライド可能に連結され、前記清掃部材上面にはポケット部が形成されていて、前記左右一対の保持片が水平向きになったときに、これら保持片が前記ポケット部に挿入されて前記清掃部材が前記左右一対の保持片に取り付けられるようにした清掃部材保持具である。
【００２０】
本発明の第１３の形態は、前記一対の保持片における外側の保持片には、その保持具本体側両端部に、保持具本体に穿設された枢支孔に入り込む外向き枢支軸部が設けられると共に、長手方向略中央に内向き突部が設けられており、内側の保持片の保持具本体側両端部に、前記保持具本体に突設された支持片に穿設された枢支孔に入り込む内向き枢支軸部が設けられ、前記内側の保持片に長手方向略中央部から保持具本体側に向けて形成され前記外側の保持片の内向き突部がスライド可能に入り込む長溝が設けられている清掃部材保持具である。
【発明の効果】
【００２１】
本発明の第１の形態によれば、保持片を清掃部材のポケット部に差し込んだ状態で柄を浅く押し込んだときに、保持具本体に保持片が係止手段で水平向きにロックされるので、清掃部材を保持具本体に装着するときに、手を汚したりすることはない。また、保持具本体に保持片が装着された状態で、柄を深く押し込むことにより前記ロック状態が解除されて保持片が垂下可能になる。このことにより、清掃部材を保持具本体から取り外すときに、清掃部材と保持具本体に手を触れることがなく、手を汚すことが全く無くなる。また、柄を浅く押し込んだり深く押し込んだりするだけで、保持具本体に清掃部材を装着したり保持具本体から清掃部材を取り外すことができるので、保持具本体への清掃部材の着脱を簡単に行うことができる。特に、押込方向規制手段により柄を垂直方向又は略垂直方向から押すときに限って該柄の押込操作が許容される。つまり、実際に柄を斜め方向から押して床などを清掃する際に、柄の押込操作はできないから、不用意に前記ロック状態が解除されて保持片から清掃部材が離脱するおそれはない。清掃部材としては、基布に多数のパイルを植成したモップ、基体下面にスポンジを取り付けたものや基体下面にブラシを取り付けたものなどがある。これらいずれの清掃部材にも本発明は適用できる。また、清掃用布体（織布、編布、不織布など）の上面にポケット部を形成することにより、容易にこの発明を適用することができる。
【００２２】
なお、保持片としては、保持具本体に枢着された垂下可能な一本の保持片でも、保持具本体の左右に枢着された垂下可能な左右一対の保持片でもよい。垂下可能な一本の保持片の場合には、清掃部材上面の左右にポケット部を形成し、水平固定された垂下不能な保持片を一方のポケット部に挿入し、垂下可能な保持片を他方のポケット部に挿入する。一本の保持片を柄の押込操作だけで垂下可能にすれば、清掃部材を着脱できる。また、垂下可能な左右一対の保持片の場合には、清掃部材上面の左右両端にポケット部を形成して、それぞれの保持片の先端部を左右両端のポケット部に挿入して清掃部材を保持具本体に装着することができる。このように、垂下可能な保持片が１本でも２本でも、この発明を適用することが可能である。
【００２３】
本発明の第２の形態によれば、ジョイントを介して柄を垂直にした状態で押し込みしたときは、例えばジョイント側に設けた突起が前記治具本体の凸状部に形成した縦溝状部に嵌合して、前記押し込み力が伝達されるが、実際に柄を傾けて治具本体を押しながら清掃している場合は、前記凸状部が縦溝状部に嵌合しないので、押込力が押圧部材に伝達されるとことはない。この場合は、突起と縦溝状部とにより、押込方向規制手段を簡単に構成することができる。なお、突起を治具本体の凸状部側に設け、縦溝状部をジョイント側に設けても同様の作用効果が発揮される。
【００２４】
本発明の第３の形態によれば、前記ジョイントにおける下部軸受部の軸方向の両側に前記突起が一体形成され、前記凸状部における互いの対向面に該突起に嵌合可能な縦溝状部が形成されるから、前記下部軸受部の好適な強度を保持することができる。即ち、前記下部軸受部に縦溝状部を形成することにより、この下部軸受部の強度が低下することがなく、前記ジョイントと保持部本体の好適な連結強度を付与することができる。従って、耐久性がより一層向上し、長期間に亘り清掃部材の着脱を行うことができる。
【００２５】
本発明の第４の形態によれば、前記一対の軸受部材間に前記押圧突出部の両側面を圧接状態で挟入して前記軸受部材の軸孔に前記凸状軸部を嵌合させ、前記ジョイントが前記押圧突出部から圧接摩擦を受けながら回動するから、所定の力が付与された場合に前記保持具本体に対するジョイントの角度が変化し、清掃時又は移動時における前記保持具本体の不安定な回動を防止することができる。従って、前記清掃部材を好適な押圧で床面等に接触させて清掃することができる。
【００２６】
本発明の第５の形態によれば、係止解除手段に備えられたロック解除保持手段によって、ロック解除状態が保持されることにより、柄を持ち上げないときには、ロック解除状態でも保持具本体に対して保持片を水平向きに保持できる。このことにより、保持片を水平向きにしたままでも、ロック解除状態からロック状態に逆戻りすることを防げる。柄を持ち上げることにより、保持片と清掃部材の自重によって保持片が垂下状態になり、保持具本体から清掃部材を簡単に取り外しすることができる。従って、保持具本体と清掃部材に手を触れることがないので、手を汚すことが全くない。
【００２７】
本発明の第６の形態によれば、係止手段が、保持片に内向き側に突出して設けられた左右一対の保持側係止片と、保持具本体側に配設され係止爪を有する左右一対の係止手段とからなるので、構造を簡単化することができる。また、係止手段の係止爪が保持側係止片の下側に入り込んで確実に係合する。このことにより、この係合状態が不用意に外れることがなく、確実に保持片を水平向きにロックした状態を保つことができる。従って、清掃するときに清掃部材が保持具本体から不用意に外れることがなく、清掃が行い易い。
【００２８】
本発明の第７の形態によれば、保持側係止片のテーパー面が係止部材の係止爪のテーパー面に沿って移動し、互いのテーパー面の頂点を過ぎた位置で係止爪の上面が保持側係止片の下面に入り込むので、その動作をスムーズにできる。従って、柄を浅く押し込む際に、強い力を必要とせず軽い力で押し込むことができる。また、係止爪の上面が保持側係止片の下面にいりこんでロックされるので、このロック状態が清掃時に外れることがない。特に、女性や子供などが清掃する場合でも、柄を軽い力で楽に押し込んで保持片を水平向きにロックして清掃部材を保持具本体に装着することがことができる。これとともに、このロック状態を外れることなく確実に保持でき清掃を簡単に行うことができる。
【００２９】
本発明の第８の形態によれば、左右一対の係止部材の両側端から外側に延設された弾性部で、左右一対の係止部材を弾発状態で内外移動可能（開閉可能）とする構造なので、他の弾性部材を必要とすることがなく構造を簡単化することができる。また、部品点数を少なくすることができる。更に、弾性部が左右一対の係止部材と一体に形成されているので、構造を強化することができる。また、左右一対の係止部材の開閉を確実に且つスムーズに行うことができる。この弾性部は略Ｕ字形や略円弧形状に形成することにより、前記弾発状態を有効に発現できる。
【００３０】
本発明の第９の形態によれば、柄を深く押し込んだ際に、押圧部材の下端及び係止部材の上端のテーパー面に沿って係止部材をスムーズに内向きに移動することができる。また、係止部材の内向きの移動でこの係止部材の係止爪と保持側係止片との係合状態が解除されるので、柄を深く押し込むことによりこの係合状態の解除を簡単に行うことができる。このテーパー面は、押圧部材の下端又は係止部材の上端のいずれか一方に形成して、他方は板状、棒状や略半球状等の端部としてもよい。また、押圧部材の下端と係止部材の上端の両方にテーパー面を形成して、これら両テーパー面が互いに接して係止部材が内向きに移動するように構成してもよい。
【００３１】
本発明の第１０の形態によれば、保持片における左右一対の突片の先端係合面と係止部材の下面の係合用突起が係合するので、別部材を用いずにその構造を簡単化できる。柄を更に押し込むだけで係合用突起と先端係合面を係合するので、解除状態を保持する操作を簡単に行うことができる。また、この係合によって、保持片が水平向きに保持されていても元のロック状態に戻らないようにでき、誤動作を防ぐことができる。更に、柄を持ち上げることにより、このロック解除状態保持から保持片と清掃部材の自重によって保持片を簡単に垂下できる。
【００３２】
本発明の第１１の形態によれば、バネ受け部材と押圧部材との間にスプリングを配設したので、押圧部材をこのスプリングで自動的に上向きに付勢移動でき、押圧部材を元の位置に自動的に復帰させることができる。また、押圧部材を押し込むときに、弾発力を持って押し込むことができるので、柄を持つ手に心地よい反動を感じながら押し込むことができる。
【００３３】
本発明の第１２の形態によれば、左右一対の保持片をＸ字状に交叉したので、これら左右一対の保持片を容易に垂下したり水平向きにしたりできる。また、左右一対の保持片を備えている場合、清掃部材のポケット部は、清掃部材の左右両端に設ければよい。このポケット部の各々に左右一対の保持片の各先端部付近を差し込むことによって、清掃部材が保持具本体に装着されるので、清掃部材の装着状態が安定した状態となり、不用意に清掃部材が外れない利点がある。
【００３４】
本発明の第１３の発明によれば、各保持片が保持具本体の枢支孔で回動自在に枢着されるようにしたので、その構造を簡単化できるとともに、各保持片の垂下動作（回動動作）をスムーズにできる。また、内側の保持片に形成された長溝に外側の保持片の内向き突部がスライド可能に入り込んでいるので、両保持片の垂下動作をスムーズに行うことができる。従って、清掃部材のポケット部への保持片の装着を簡単且つ確実に行うことができ、清掃時に清掃部材が保持具本体から離脱することを防ぐことができて清掃を行い易い。
【発明を実施するための最良の形態】
【００３５】
以下、この発明に係る清掃部材保持具の実施の形態を図面に従って説明する。
【００３６】
図１は、この発明の実施形態の清掃部材保持具にモップからなる清掃部材を装着した状態の斜視図である。図１に示すように、この実施形態の清掃部材保持具１は、保持具本体２に左右一対の保持片３、４が水平向きにロックされている。基布５に多数のパイル６が植成されたモップからなる清掃部材７の上面における左右のポケット部８、８に、水平向きにロックされた状態で左右一対の保持片３、４が挿入されている。保持具本体２にはその中央部に左右一対の取付用凸状部２ａ、２ａが上向きに突設されていて、これら取付用凸状部２ａ、２ａの間に回動自在にジョイント９が取り付けられている。このジョイント９の上端に柄１０の二股状下部１０ａが回動自在に取り付けられていて、柄１０は前後左右に傾倒できるように構成されている。図１の状態で作業員が柄１０を持って清掃部材７のパイル６を床面などに押し付けて清掃する。
【００３７】
図２は、実施形態の清掃部材保持具から清掃部材を取り外した状態の斜視図である。図２に示すように、図１の状態から柄１０を深く押し込むと係止手段によるロック状態が解除されて、清掃部材７の自重により左右一対の保持片３、４がＸ字形に垂下される。これにより、保持片３、４が清掃部材７のポケット部８、８から離脱して清掃部材保持具１から清掃部材７が取り外される。左右一対の保持片３、４は先端のポケット挿入片部１１、１２と前後の板状腕部１３、１４とでそれぞれ構成されている。後述するが、左右一対の保持片３、４の板状腕部１３、１４はその端部が保持具本体２の前後縁に枢支されていると共に、内側の保持片３の板状腕部１３の外側面に所定長さ形成された長溝１５、１５に、外側の保持片４の板状腕部１４に内向きに突設された内向突部１６、１６がスライド可能に入り込んでいる。
【００３８】
図３は、左右一対の保持片が水平向きにロックされた状態の清掃部材保持具の正面図である。図３に示すように、清掃部材保持具１は、左右一対の保持片３、４が水平向きにロック状態で保持されるようになっている。このとき、左右一対の保持片３、４のポケット挿入片１１、１２は保持具本体２の左右端から突出され、板状腕部１３、１４は保持具本体２内に収容されて外部に露出しない状態になっている。
【００３９】
図４は図３の状態から保持片を垂下した状態の清掃部材保持具の正面図である。図４に示すように、左右一対の保持片３、４はロック状態が解除されると、Ｘ字形に垂下される。左右一対の保持片３、４の板状腕部１３、１４の端部は保持具本体２に枢支されている。また、前述したように、内側の保持片３の板状腕部１３の外側面に所定長さ形成された長溝１５、１５に、外側の保持片４の板状腕部１４に内向きに突設された内向突部１６、１６がスライド可能に入り込んでいる。
【００４０】
図５は、清掃部材保持具における保持具本体の裏面図である。図５に示すように、保持具本体２の前後側壁部の一端部には枢支孔２ｂ、２ｂが穿設されており、左右側壁部の他端部には支持片２ｃ、２ｃが内向きに突設されていて、これらの支持片２ｃ、２ｃに枢支孔２ｄ、２ｄが穿設されている。また、保持具本体２の左右側壁部には、両保持片３、４の板状腕部１３、１４が入り込む切溝２ｅ、２ｆが形成されている。
【００４１】
図６は、清掃部材保持具における外側の保持片の平面図である。図６に示すように、外側の保持片４の板状腕部１４、１４には、その端部に外向き枢支軸部１７、１７が突設され、略中央位置には内向突部１６、１６が突設されている。
【００４２】
図７は、清掃部材保持具における内側の保持片の平面図である。図７に示すように、内側の保持片３の板状腕部１３、１３には、その端部に内向き枢支軸部１８、１８が突設され、外面の所定位置には長溝１５、１５が形成されている。また、板状腕部１３、１３の内面側の所定位置には、一対の保持側係止片１９、１９と一対の突片２０、２０が突設され、突片２０、２０には先端係合面２０ａ、２０ａが形成されている。
【００４３】
図８は、図６に示す外側の保持片と図７に示す内側の保持片を組み付けた状態の平面図である。図８に示すように、内側の保持片３と外側の保持片４とを組み付けると、内側の保持片３における板状腕部１３、１３の長溝１５、１５に外側の保持片４における板状腕部１４、１４の内向突部１６、１６がスライド可能に入り込んだ状態となる。
【００４４】
図９は、図８のＡ−Ａ線断面図である。図９に示すように、内側の保持片３における板状腕部の長溝１５、１５に外側の保持片４における板状腕部１４、１４の内向き突部１６、１６が入り込んでいる。これら長溝１５、１５と内向き突部１６、１６との間に若干の隙間がある。また、保持側係止片１９、１９の端部の上面には下広がり状のテーパー面１９ａ、１９ａが形成されている。また、突片２０、２０の先端の板状部分には、その内側に下広がり状のテーパー面２０ｂ、２０ｂが形成されている。
【００４５】
図１０は、図５に示す保持具本体に係止部材を組み込んだ状態の裏面図である。図１０に示すように、一対の係止部材２１、２１は保持具本体２の中央部に組み込まれ、保持具本体２内で内外移動可能に配設されている。この係止部材２１には、その両端から外側に略円弧状の弾性部２２が延設され、この弾性部材２２で一対の係止部材２１、２１が弾発状態で開閉可能（内外移動可能）に構成されている。この係止部材２１、２１は外向きに突出した係止爪２３を有している。
【００４６】
図１１は、係止部材を示し、（１１Ａ）はその正面図、（１１Ｂ）はその裏面図、（１１Ｃ）は（１１Ｂ）のＢ−Ｂ線断面図である。（１１Ａ）、（１１Ｂ）、（１１Ｃ）に示すように、係止部材２１、２１は上記した係止爪２３を有し、この係止爪２３には、上側向きに傾斜するテーパー面２３ａが形成されている。また、係止部材２１、２１の下面には凹部２４が形成され、その先端に係合用突起２５が設けられている。また、この係合用突起２５には内側に傾斜するテーパー面２５ａが形成されている。更に、係止部材２１、２１の上端には上側内向きのテーパー面２１ａが形成されている。
【００４７】
図１２は、左右一対の保持片が水平向きにロックされた状態の清掃部材保持具の裏面図である。図１２に示すように、左右一対の保持片３、４の板状腕部１３、１４は、保持具本体２の外側寄り位置に配設され、係止部材２１、２１はその内側に組み付けられるようになっている。左右一対の保持片３、４のポケット挿入片部１１、１２の裏面側には、補強用の縁部１１ａ、１２ａが設けられている。
【００４８】
図１３は、左右一対の保持片が係止手段でロックされて水平向きに保持されている清掃部材保持具の縦断面図である。図１３に示すように、保持具本体２内の上部には略コ字形の押圧部材２６が配設されており、この押圧部材２６の両袖部の下端内側にはテーパー面２６ａ、２６ａが形成されている。このテーパー面２６ａ、２６ａは、一対の係止部材２１、２１における上端のテーパー面２１ａ、２１ａと向き合っている。一対の係止部材２１、２１の内側上面にはバネ受け部材２７が載置され、押圧部材２６とこのバネ受部材２７との間に、押圧部材２６を上向きに付勢するスプリング２８が配設されている。
【００４９】
また、押圧部材２６には上向きに押圧突出部２６ｂが設けられ、この押圧突出部２６ｂにジョイント９の回転軸２９の下端が接している。押圧部材２６の上面の円弧面２６ｃにはジョイント９の下面が接していて、柄１０を押し込むことによりジョイント９が押し込まれて押圧部材２６が下向きに押し込まれるように構成されている。
【００５０】
また、保持具本体２の開孔部２ｇの孔縁には、下側から上側に向けて縦溝２ｈが形成され、この縦溝２ｈの上端は水平縁２ｉに形成されている。一方、押圧部材２６の左右両端には、縦溝２ｈに入り込んで水平縁２ｉで係止される係止突起２６ｄが設けられ、この係止突起２６ｄは押圧部材２６が下側に向けて押し込まれるときに縦溝２ｈにガイドされて移動される。図１３の状態は、一対の係止部材２１、２１の係止爪２３、２３が内側の保持片３における保持側係止片１９、１９の下側に入り込んで係合されている。これにより、保持片３、４が水平向きにロックされた状態となっている。尚、保持片３の保持側係止片１９、１９と係止爪２３を有する一対の係止部材２１、２１とで係止手段３０が構成されている。
【００５１】
図１４は、図１３の状態から柄を若干押し込んだ状態の清掃部材保持具の縦断面図である。図１４に示すように、柄１０を押し込むとジョイント９が押し込まれ、押圧部材２６が下向きに移動する。この押圧部材２６における両袖部の下端のテーパー面２６ａ、２６ａと係止部材２１、２１のテーパー面２１ａ、２１ａが接する。これによって、押圧部材２６のテーパー面２６ａ、２６ａで係止部材２１、２１のテーパー面２１ａ、２１ａが押され係止部材２１、２１が内側に移動する。
【００５２】
図１５は、図１４の状態から柄を更に押し込んで係止手段のロック状態を解除し、ロック解除状態保持手段でロック解除状態を保持した状態の清掃部材保持具の縦断面図である。図１５に示すように、押圧部材２６が更に押し込まれると、係止部材２１、２１の係止爪２３、２３と内側の保持片３の保持側係止片１９、１９の係止が解かれて係止手段３０によるロックが解除される。尚、押圧部材２６と係止部材２１、２１で係止解除手段３１が構成されている。ロックが解除された後に、押圧部材２６が更に押し込まれ、係止部材２１、２１の凹部２４、２４内に内側の保持片３の突片２０、２０が入り込む。このとき、突片２０，２０の先端係合面２０ａ、２０ａと係合用突起２５，２５とが係合してロック解除状態が一時的に保持される。なお、突片２０，２０の先端係合面２０ａ、２０ａと係合用突起２５，２５でロック解除状態保持手段３２が構成されている。
【００５３】
図１６は、図１５の状態から左右一対の保持片が垂下し始める状態の清掃部材保持具の縦断面図である。図１６に示すように、柄１０を持ち上げると保持片３，４に装着された清掃部材７の自重によりロック解除状態が保持された状態から、保持片３、４が下側に向けて垂下し始め、保持片３、４から清掃部材７が取り外される。なお、図１４、図１５、図１６において、柄１０は深く押し込まれている。
【００５４】
図１７は、柄を若干押し込んで左右一対の保持片を上向きに押し上げる状態の清掃部材保持具の縦断面図である。図１７に示すように、保持片３，４が垂下した状態で柄１０を押し込むと、清掃部材からの反力で保持片３、４が上向きに押し上げられる。
【００５５】
図１８は、図１７の状態から柄を更に押し込んで左右一対の保持片を更に上向きに押し上げた状態の清掃部材保持具の縦断面図である。図１８に示すように、保持片３、４が上向きに移動、即ち保持具本体２が下向きに移動すると、係止部材２１、２１の係止爪２３、２３のテーパー面２３ａ、２３ａに内側の保持片３における保持側係止片１９、１９のテーパー面１９ａ、１９ａが当接する。
【００５６】
図１９は図１８の状態から柄を更に押し込んで左右一対の保持片を更に若干押し上げた状態の清掃部材保持具の縦断面図である。図１９に示すように、保持片３、４が更に上向きに移動、即ち保持具本体２が下向きに更に移動すると、保持片３、４における保持側係止片１９、１９のテーパー面１９ａ、１９ａに押されて一対の係止部材２１、２１が内向きに移動する。
【００５７】
図２０は、図１９の状態から柄を更に押し込んで左右一対の保持片が係止手段で水平向きにロックされた状態の清掃部材保持具の縦断側面図である。図２０に示すように、互いのテーパー面１９ａ、１９ａ及び２３ａ、２３ａの頂部を越すと、係止部材２１、２１の係止爪２３，２３が保持側係止片１９，１９の下側に入り込んで係止状態となり、ロックされる。このとき、清掃部材７のポケット部８、８に保持片３、４のポケット挿入片部１１，１２が挿入されて、清掃部材７が装着された状態となる。なお、図１７〜図２０では、柄１０は浅く押し込まれる。
【００５８】
このように、係止状態から柄１０を深く押し込むと清掃部材保持具１から清掃部材７が離脱され、離脱された状態から柄１０を浅く押し込むと清掃部材７が清掃部材保持具１に装着される。なお、この実施形態では、清掃部材７として基布５に複数のパイル６を植成したモップについて説明したが、これに限らず、基体下面にスポンジを取り付けたものや基体下面にブラシを取り付けたもの、清掃面として基布面を利用するものなどの各種の清掃部材に適用できることは勿論である。
【００５９】
図２１〜図２３は、この発明の他の実施形態を示し、前記実施形態と同一もしくは相当部所には、同一符号を付してそれらの説明を省略する。図２１〜図２３において、前記柄１０の下端側における二股部１０ａと保持具本体２側とを連結するジョイント９は、ジョイント基部９ａと、ジョイント基部９ａの上面に一体形成された上部軸受部９ｂと、ジョイント基部９ａの下面に一体形成された左右一対の軸受部材９ｄ、９ｄから構成される下部軸受部９ｆとからなる。
【００６０】
前記上部軸受部９ｂには、軸孔９ｃが形成されており、この軸孔９ｃは、前記二股部１０ａの股間部１０ｂに上部軸受部９ｂを挿入した際に、該二股部１０ａの各対向面に形成された凸軸１０ｃ、１０ｃに嵌合されるようになっており、また、軸受部材９ｄ、９ｄには、前記軸孔９ｃの軸方向（前後方向）と直交方向（左右方向）へ向いた軸孔９ｅ、９ｅがそれぞれ形成されている。
【００６１】
前記ジョイント基部９ａの左右側面には、キー部のような突起５１、５１がそれぞれ一体形成されている。前記ジョイント９を介して柄１０の押込力を受ける押圧部材２６の上面には、前記軸受部材９ｄ、９ｄの軸方向で対向している一対の凸状部２ａ，２ａ間に位置して側面形状が逆Ｕ字形の押圧突出部２６ｂが一体形成されている。
【００６２】
この押圧突出部２６ｂには、左右両側面に突出する凸状軸部４１、４１が設けれている。これら両凸状軸部４１、４１に前記軸受部材９ｄ、９ｄの軸孔９ｅ、９ｅが嵌合されて前記ジョイント９を傾倒可能に枢支・連結してあり、柄１０を押込力は前記ジョイント９を介して押圧部材２６に伝達される。なお、前記軸受部材９ｄ、９ｄを前記押圧部材２６の押圧突出部２６ｂの左右両側面を僅かに圧接させておけば、ジョイント９が前記押圧突出部２６ｂにブラブラすることもない良好な枢支・連結状態が得られる。
【００６３】
前記凸状部２ａ，２ａの各上面には、両者２ａ，２ａの対向面側に開放されたキー溝のような縦溝状部４２、４２がそれぞれ形成されており、これら縦溝状部４２、４２と前記突起５１、５１とにより、前記柄１０を垂直方向から押し込んだときに限って互いに嵌合して押込操作を許容する押込方向規制手段５０が構成されている。
【００６４】
このような構成の清掃部材保持具１においては、基本的な動作は、前記実施形態と同じである。つまり保持片３、４を清掃部材７のポケット挿入片部１１、１２に差し込んだ状態で柄を浅く押し込んだときに、保持具本体２に保持片３、４が水平向きにロックされ、また、保持具本体２に保持片３、４が装着された状態で、柄１０を深く押し込むことにより前記保持片３、４が垂下可能になり、容易に清掃部材７と保持具本体２から外すことができる。
【００６５】
ところで、実際の清掃作業では、柄１０を図２３に示すように斜めにして該柄１０を押しながら保持具本体２を移動させるから、柄１０の押込方向の規制がないと、前記柄１０から深い（強い）押込力が作用すると、前記保持片３、４の水平状態保持のロックが解除されて、清掃部材７が不用意に外れるおそれがある。
【００６６】
この点について、この実施形態では、ジョイント９における基部９ａの両側に突設した突起５１、５１と前記治具本体２における凸状部２ａ，２ａに形成した縦溝状部４２、４２により、前記柄１０を垂直方向から押し込んだときに限って前記押込操作を許容する押込方向規制手段５０が構成されているから、柄１０を図２３に示すように斜めにして該柄１０を押して保持具１を移動させながら掃除する際に、柄１０を深く押しても前記突起５１、５１が縦溝状部４２、４２に嵌まらない。従って、前記押圧部材２６が押し込まれないから、前記保持片３、４の水平状態保持のロックが意に反して解除されるのが確実に防止される。
【００６７】
また、保持片３、４を清掃部材７のポケット挿入片部１１、１２に差し込んだ状態で柄１０を垂直方向から押すと、前記突起５１、５１が縦溝状部４２、４２に嵌まるから、前記押込力が押圧部材２６に伝達され、浅い押込で前記保持具本体２に保持片３、４が水平向きにロックされて、清掃部材７が保持片３、４に装着保持される。さらに、深く押せば、保持片３、４が垂下可能になり、そのまま柄１０を持ち上げると、保持片３、４が垂下して清掃部材７を自動的に外すことができる。
【００６８】
なお、前記突起５１，５１を前記凸状部２ａ，２ａに設け、縦溝状部４２、４２を前記ジョイント９側に設けることも可能である。また、この実施形態では、押込方向規制手段５０を、前記突起５１、５１と縦溝状部４２、４２で構成したもので説明したが、この構成はあくまでも一例であり、柄１０の押込方向を垂直方向に限定できる構造であれば、変形構造などをを含めて任意の構成を適宜採用可能である。
【産業上の利用可能性】
【００６９】
本発明に係る清掃部材保持具は、保持片を清掃部材のポケット部に差し込んだ状態で柄を浅く押し込んだときに、保持具本体に保持片が係止手段で水平向きにロックされ、柄を深く押し込むことにより前記ロック状態が解除されて保持片が垂下可能になる。従って、柄を浅く押し込んだり深く押し込んだりするだけで、清掃部材の保持具本体への着脱がワンタッチ操作で行え、清掃した後の汚れた清掃部材で手を汚すことが無く、掃除中に柄を斜めにして押し込んだ際に清掃部材が外れるのを確実に防止できる清掃部材保持具を提供することができる。
【図面の簡単な説明】
【００７０】
【図１】この発明の実施形態の清掃部材保持具にモップからなる清掃部材を装着した状態の斜視図である。
【図２】実施形態の清掃部材保持具から清掃部材を取り外した状態の斜視図である。
【図３】左右一対の保持片が水平向きにロックされた状態の清掃部材保持具の正面図である。
【図４】図３の状態から保持片を垂下した状態の清掃部材保持具の正面図である。
【図５】清掃部材保持具における保持具本体の裏面図である。
【図６】清掃部材保持具における外側の保持片の平面図である。
【図７】清掃部材保持具における内側の保持片の平面図である。
【図８】図６に示す外側の保持片と図７に示す内側の保持片を組み付けた状態の平面図である。
【図９】図８のＡ−Ａ線断面図である。
【図１０】図５に示す保持具本体に係止部材を組み込んだ状態の裏面図である。
【図１１】係止部材を示し、（１１Ａ）はその正面図、（１１Ｂ）はその裏面図、（１１Ｃ）は（１１Ｂ）のＢ−Ｂ線断面図である。
【図１２】左右一対の保持片が水平向きにロックされた状態の清掃部材保持具の裏面図である。
【図１３】左右一対の保持片が係止手段でロックされて水平向きに保持されている清掃部材保持具の縦断面図である。
【図１４】図１３の状態から柄を若干押し込んだ状態の清掃部材保持具の縦断面図である。
【図１５】図１４の状態から柄を更に押し込んで係止手段のロック状態を解除し、ロック解除状態保持手段でロック解除状態を保持した状態の清掃部材保持具の縦断面図である。
【図１６】図１５の状態から左右一対の保持片が垂下し始める状態の清掃部材保持具の縦断面図である。
【図１７】柄を若干押し込んで左右一対の保持片を上向きに押し上げる状態の清掃部材保持具の縦断面図である。
【図１８】図１７の状態から柄を更に押し込んで左右一対の保持片を更に上向きに押し上げた状態の清掃部材保持具の縦断面図である。
【図１９】図１８の状態から柄を更に押し込んで左右一対の保持片を更に若干押し上げた状態の清掃部材保持具の縦断面図である。
【図２０】図１９の状態から柄を更に押し込んで左右一対の保持片が係止手段で水平向きにロックされた状態の清掃部材保持具の縦断面図である。
【図２１】この発明の他の実施形態における清掃部材保持具における柄取り付け部位の分解斜視図である。
【図２２】図２１の清掃部材保持具を示す一部破断正面図である。
【図２３】図２１の清掃部材保持具を示す一部破断側面図である。
【図２４】従来のモップ保持具の縦断正面図である。
【図２５】従来のモップ保持具の支持片をＸ形に開いた状態の縦断正面図である。
【図２６】従来のモップ保持具の部分縦断側面図である。
【符号の説明】
【００７１】
１          清掃部材保持具
２          保持具本体
２ａ        凸状部
２ｂ        枢支孔
２ｃ        支持片
２ｄ        枢支孔
２ｅ        切溝
２ｇ        開孔部
２ｈ        縦溝
２ｉ        水平線
３          保持片
４          保持片
５          基布
６          パイル
７          清掃部材
８          ポケット部
９          ジョイント
９ａ        ジョイント基部
９ｂ        上部軸受部
９ｄ        軸受部材
９ｅ        軸孔
９ｆ        下部軸受部
１０        柄
１０ａ      二股部
１０ｂ      股間部
１０ｃ      凸軸
１１        ポケット挿入部
１１ａ      縁部
１２        ポケット挿入部
１２ａ      縁部
１３        板状腕部
１４        板状腕部
１５        長溝
１６        内向突部
１７        枢支軸部
１８        枢支軸部
１９        保持側係止片
１９ａ      テーパー面
２０        突片
２０ａ      先端係合面
２０ｂ      先端係合面
２１        係止部材
２２        弾性部材
２３        係止爪
２３ａ      テーパー面
２４        凹部
２５        係合用突起
２６        押圧部材
２３ａ      テーパー面
２６ｂ      押圧突出部
２７        バネ受部材
２８        スプリング
２９        回転軸
３０        係止手段
３１        係止解除手段
３２        ロック解除状態保持手段
４１        凸状軸部
４２        縦溝状部
５０        押込方向規制手段
５１        突起
【図１】
2006271753.tif 000003
【図２】
2006271753.tif 000004
【図３】
2006271753.tif 000005
【図４】
2006271753.tif 000006
【図５】
2006271753.tif 000007
【図６】
2006271753.tif 000008
【図７】
2006271753.tif 000009
【図８】
2006271753.tif 000010
【図９】
2006271753.tif 000011
【図１０】
2006271753.tif 000012
【図１１】
2006271753.tif 000013
【図１２】
2006271753.tif 000014
【図１３】
2006271753.tif 000015
【図１４】
2006271753.tif 000016
【図１５】
2006271753.tif 000017
【図１６】
2006271753.tif 000018
【図１７】
2006271753.tif 000019
【図１８】
2006271753.tif 000020
【図１９】
2006271753.tif 000021
【図２０】
2006271753.tif 000022
【図２１】
2006271753.tif 000023
【図２２】
2006271753.tif 000024
【図２３】
2006271753.tif 000025
【図２４】
2006271753.tif 000026
【図２５】
2006271753.tif 000027
【図２６】
2006271753.tif 000028